(57)【要約】      （修正有）【課題】上水道の配管にスプリンクラーヘッドを接続した際の死水を防止する。【解決手段】消火設備は、上水道を供給する配管に、火災による熱気流を受けて作動する閉鎖型のスプリンクラーヘッド１８を装着し、スプリンクラーヘッド１８を接続している配管部分の上水道水を定期的に排水する自動洗浄装置２０を設ける。自動洗浄装置２０は、上水道水の給水圧力に基づきピストンロッド３４を周期的にストロークさせる駆動部２２と、ピストンロッド３４が弁開方向に所定量ストロークした時の当接により弁体３６ａを開いて貯水している上水道水を排水させる排水部２４とを備える。【選択図】図１
2010207502.tif 000002
【特許請求の範囲】
【請求項１】
上水道を供給する配管に、火災による熱気流を受けて作動する閉鎖型のスプリンクラーヘッドを装着した消火設備に於いて、
前記スプリンクラーヘッドを接続している配管部分の上水道水を定期的に排水する自動洗浄装置を設けたことを特徴とする消火設備。
【請求項２】
請求項１記載の消火設備に於いて、前記自動洗浄装置は、
上水道水の給水圧力に基づき弁駆動部材を周期的にストロークさせる駆動部と、
前記弁駆動部材が弁開方向に所定量ストロークした時の当接により弁を開いて貯水している上水道水を排水させる排水部と、
を備えたことを特徴とする消火設備。
【請求項３】
請求項２記載の消火設備に於いて、
前記自動洗浄装置の駆動部は、
シリンダに摺動自在に収納されて第１シリンダ室と第２シリンダ室を仕切り形成し、上水道水が供給される第１シリンダ室の受圧面積に対し第２シリンダ室の受圧面積を小さくしたピストンと、
前記ピストンで仕切られた第１シリンダ室と第２シリンダ室を連通する配管に設けられ、前記第１シリンダ室と第２シリンダ室間に流れる流量を調整して前記ピストンの移動速度を設定する絞りと、
前記弁駆動部材を構成するピストン駆動軸と、
を備え、
前記自動洗浄装置の排水部は、
所定量の上水道水を貯水する貯水室と、
前記貯水室の底部に形成され排水口と、
弁体を前記排水口の出口側に配置し、前記ピストン駆動軸が所定量ストロークした時の当接により前記排水口を開いて排水させる弁部材と、
前記ピストンと弁部材の間に配置された第１バネと、
前記弁部材を閉鎖位置に押圧する第２バネと、
を備え、
前記ピストンの第１シリンダ室の受圧面積による弁開方向の力をＰ１、前記ピストンの第２シリンダ室の受圧面積による弁閉方向の力をＰ２、前記弁体の受圧面積による弁開方向の力をＰ３、前記第１バネによる弁閉方向の力Ｆ１、前記第２バネによる弁閉方向の力をＦ２とした時、
Ｐ１＋Ｐ３＞Ｐ２＋Ｆ１＋Ｆ２
の関係を設定して前記ピストンを弁開方向にストロークして弁開により排水させることを特徴とする消火設備。
【請求項４】
請求項１記載の消火設備に於いて、前記自動洗浄装置は、
排水する上水道水を貯水する排水タンクと、
前記排水タンクに上水道水を供給する配管に設けられ、流量を調整する絞りと、
前記排水タンクの底部に開閉自在に配置され、貯水量が所定量を超えた時の重量バランスの崩れにより開放作動して貯水水を排水する排水機構と、
を備えたことを特徴とする消火設備。
【請求項５】
請求項１記載の消火設備に於いて、前記自動洗浄装置は、
排水する上水道水を貯水する排水タンクと、
前記排水タンクに上水道水を供給する配管に設けられ、供給する流量を調整する絞りと、
前記排水タンクの中に配置され、所定水位に上昇した際に貯水水を排水させる逆Ｕ字状のサイホン管と、
を備えたことを特徴とする消火設備。
【請求項６】
請求項４又は５記載の消火設備に於いて、前記自動洗浄装置は、前記排水タンクに上水道水を供給する配管に、給水圧力が所定圧力以下に低下した時に、前記排水タンクに対する給水を遮断する遮断装置を設けたことを特徴とする消火設備。
【請求項７】
請求項１記載の消火設備に於いて、前記自動洗浄装置は、
定期的に出力するタイマと、
前記タイマの出力により排水管に設けた制御弁を所定時間に亘り開動作して排水させる駆動部と、
を備えたことを特徴とする消火設備。
【請求項８】
請求項１記載の消火設備に於いて、前記自動洗浄装置は、前記駆動部は火災感知器からの火災検出信号を受けた時、前記制御弁の開動作による排水を禁止することを特徴とする消火設備。
【発明の詳細な説明】
【技術分野】
【０００１】
本発明は、上水道を供給する配管に、火災による熱気流を受けて作動する閉鎖型のスプリンクラーヘッドを装着した消火設備に関する。
【背景技術】
【０００２】
従来、一般住宅、共同住宅、グループホームなどでは、上水道と同じ配管に閉鎖型のスプリンクラーヘッドを接続し、火災時に上水道を使用して消火を行う消火設備が知られている。
【０００３】
ここで、一般住宅のスプリンクラーヘッドへの水圧は例えば０．０５ＭＰａが要求されており、上水道からの０．０５ＭＰａを超える給水圧力が確保できることで、火災時に充分な消火性能を得ることができる。
【先行技術文献】
【特許文献】
【０００４】
【特許文献１】特開平８−２４３６０号公報
【発明の概要】
【発明が解決しようとする課題】
【０００５】
しかしながら、上水道は日常生活で使用するため配管内を常時清潔な状態に維持しなければならないが、上水道の配管にスプリンクラーヘッドが接続されると、スプリンクラーヘッドに至るまでの配管内に上水道水が停滞し、所謂死水になってしまうことが考えられる。
【０００６】
本発明は、上水道の配管にスプリンクラーヘッドを接続した際の死水を防止する消火設備を提供することを目的とする。
【課題を解決するための手段】
【０００７】
本発明は、上水道を供給する配管に、火災による熱気流を受けて作動する閉鎖型のスプリンクラーヘッドを装着した消火設備に於いて、
スプリンクラーヘッドを接続している配管部分の上水道水を定期的に排水する自動洗浄装置を設けたことを特徴とする。
【０００８】
ここで、自動洗浄装置は、
上水道水の給水圧力に基づき弁駆動部材を周期的にストロークさせる駆動部と、
弁駆動部材が弁開方向に所定量ストロークした時の当接により弁を開いて貯留している上水道水を排水させる排水部と、
を備える。
【０００９】
この自動洗浄装置は、更に詳細には、
駆動部は、
シリンダに摺動自在に収納されて第１シリンダ室と第２シリンダ室を仕切り形成し、上水道水が供給される第１シリンダ室の受圧面積に対し第２シリンダ室の受圧面積を小さくしたピストンと、
ピストンで仕切られた第１シリンダ室と第２シリンダ室を連通する配管に設けられ、第１シリンダ室と第２シリンダ室間に流れる流量を調整してピストンの移動速度を設定する絞りと、
弁駆動部材を構成するピストン駆動軸と、
を備え、
排水部は、
所定量の上水道水を貯留する貯留室と、
貯留室の底部に形成され排水口と、
弁体を排水口の出口側に配置し、ピストン駆動軸が所定量ストロークした時の当接により排水口を開いて排水させる弁部材と、
ピストンと弁部材の間に配置された第１バネと、
弁部材を閉鎖位置に押圧する第２バネと、
を備え、
ピストンの第１シリンダ室の受圧面積による弁開方向の力をＰ１、ピストンの第２シリンダ室の受圧面積による弁閉方向の力をＰ２、弁体の受圧面積による弁開方向の力をＰ３、第１バネによる弁閉方向の力Ｆ１、第２バネによる弁閉方向の力をＦ２とした時、
Ｐ１＋Ｐ３＞Ｐ２＋Ｆ１＋Ｆ２
の関係を設定してピストンを弁開方向にストロークして弁開により排水させる。
【００１０】
また、自動洗浄装置は、
排水する上水道水を貯留する排水タンクと、
排水タンクに上水道水を供給する配管に設けられ、流量を調整する絞りと、
排水タンクの底部に開閉自在に配置され、貯水量が所定量を超えた時の重量バランスの崩れにより開放作動して貯留水を排水する排水機構と、
を備える。
【００１１】
また、自動洗浄装置は、
排水する上水道水を貯留する排水タンクと、
排水タンクに上水道水を供給する配管に設けられ、供給する流量を調整する絞りと、
排水タンクの中に配置され、所定水位に上昇した際に貯留水を排水させる逆Ｕ字状のサイホン管と、
を備える。
【００１２】
この自動洗浄装置は、排水タンクに上水道水を供給する配管に、給水圧力が所定圧力以下に低下した時に、排水タンクに対する給水を遮断する遮断装置を設ける。
【００１３】
更に、自動洗浄装置は、
定期的に出力するタイマと、
タイマの出力により排水管に設けた制御弁を所定時間に亘り開動作して排水させる駆動部と、
を備える。この場合、駆動部は火災感知器からの火災検出信号を受けた時、制御弁の開動作による排水を禁止する。
【発明の効果】
【００１４】
本発明によれば、一般家庭、共同住宅などで使用している上水道の配管にスプリンクラーヘッドを接続した場合、スプリンクラーへッドを接続した配管部分の末端側に接続した自動洗浄装置が定期的に配管内の水を排水することで、死水の発生を防止し、スプリンクラーヘッドを接続しても、常に配管内を清潔な状態に保つことができる。
【００１５】
また、自動洗浄装置の定期的な排水動作を、上水道水の給水圧力を利用して行っているため、取扱いが容易で運用コストも少なくできる。
【００１６】
また、自動洗浄装置の排水タンクに対する配管に、給水圧力が所定圧力以下に低下した時に給水を遮断する遮断装置を設けたことで、スプリンクラーヘッドが作動した時に定期的な排水を禁止し、排水によるスプリンクラーヘッドへの給水圧力の低下を防ぐことができる。
【００１７】
また、タイマを使用した電気的な制御弁の開動作で排水させることで、簡単に構成でき、更に、火災感知器からの火災検出信号により排水動作を禁止して、スプリンクラーヘッドへの給水圧力の低下を防ぐことができる。
【図面の簡単な説明】
【００１８】
【図１】自動洗浄装置を設けた本発明による消火設備の実施形態を示した説明図
【図２】図１に設けた自動洗浄装置の排水動作時の状態を示した説明図
【図３】本発明で使用する自動洗浄装置の他の実施形態を示した説明図
【図４】図３に設けた遮断装置の実施形態を示した断面図
【図５】本発明で使用する自動洗浄装置の他の実施形態を示した説明図
【図６】本発明で使用する自動洗浄装置の他の実施形態を示した説明図
【発明を実施するための形態】
【００１９】
図１は自動洗浄装置を設けた本発明による消火設備の実施形態を示した説明図である。図１において、例えば一般住宅などに引き込まれた上水道の配管１０には、一般水道設備の機器として例えば浴槽１２、洗面１４、トイレ１６などが接続されている。また配管１０は消火対象区域となる各部屋の天井側に配管され、部屋ごとに閉鎖型のスプリンクラーヘッド１８を接続している。
【００２０】
配管１０に接続したスプリンクラーヘッド１８の管末には自動洗浄装置２０が設けられている。自動洗浄装置２０はスプリンクラーヘッド１８を接続している配管部分の上水道水を定期的に排水する。自動洗浄装置２０による排水の周期は例えば１日５回程度であり、１回当り数百ミリリットル程度の量を排水すればよい。
【００２１】
このような自動洗浄装置２０の定期的な排水動作により、配管１０の末端側に接続しているスプリンクラーヘッド１８の接続部分の水道水が定期的に排水され、スプリンクラーヘッド１８の部分の水が停滞して死水となることを防止し、スプリンクラーヘッド１８を接続しても、上水道の配管１０内を清潔に保つことができる。
【００２２】
自動洗浄装置２０は駆動部２２と排水部２４で構成される。なお、図中の黒点はシール部分を示している。
【００２３】
駆動部２２は、配管１０から供給される上水道水の給水圧力に基づき、弁駆動部材としてピストンロッド３４を周期的にストロークさせる。排水部２４は、弁駆動部材としてのピストンロッド３４が弁開方向に所定量ストロークしたときの当接により弁を開いて、貯水している上水道水を排水管２５から排水させる。排水管２５は、適宜の排水溝などに配管してもよいが、トイレ１６などの通常設備機器に接続して排水させるようにしてもよい。
【００２４】
自動洗浄装置２０に設けた駆動部２２は、シリンダ２６の内部にピストン２８を摺動自在に組み込んでいる。シリンダ２６の内部は、配管１０からの上水道水が供給される第１シリンダ室２６ａと第２シリンダ室２６ｂにピストン２８により仕切られている。
【００２５】
ピストン２８は、第１シリンダ室２６ａによる受圧面積に対し第２シリンダ室２６ｂの重圧面積を小さくしており、したがって第１シリンダ室２６ａ及び第２シリンダ室２６ｂに同じ給水圧力が加わった場合、第１シリンダ室２６ａの水圧による力Ｐ１が大きく、第２シリンダ室２６ｂの水圧による力Ｐ２が小さくなる関係にある。したがってピストン２８は、（Ｐ１−Ｐ２）となる弁開方向の力を受けてストロークすることができる。
【００２６】
シリンダ２６のピストン２８で仕切られた第１シリンダ室２６ａと第２シリンダ室２６ｂの間は外部の配管により連通されており、この配管に絞り３０を設けている。絞り３０は、ピストン２８の受圧面積の差に応じた力（Ｐ１−Ｐ２）により弁開方向にストロークするときに、第２シリンダ室２６ｂから第１シリンダ室２６ａに上水道水を流し、このときの水量を絞り３０で調整することで、ピストン２８の移動速度、即ちピストン２８がストロークする時間を調整することができる。
【００２７】
また絞り３０と並列に逆止弁３２が設けられており、逆止弁３２はピストン２８が弁閉方向に戻るときに開いて、第１シリンダ室２６ａの水道水を第２シリンダ室２６ｂに流すようになる。
【００２８】
自動洗浄装置２０の排水部２４には、シリンダ２６に対する配管１０ａから分岐した配管１０ｂが接続された貯水室３８が設けられ、貯水室３８の底部側に排水口４０を設け、排水口４０の出口側に、弁部材３６の先端に設けた弁体３６ａを配置している。弁部材３６は貯水室３８を貫通して上部に取り出され、ここに当接部３６ｂを形成し、駆動部２２のピストンロッド３４の当接を受けるようにしている。
【００２９】
駆動部２２の先端と排水部２４に配置した弁部材３６の当接部３６ｂとの間には第１バネ４２が配置され、また排水口４０の外側に配置した弁体３６ａに対しては弁部材３６を閉方向に押圧する第２バネ４４が配置されている。
【００３０】
次に図１の実施形態における自動洗浄装置２０の動作を説明する。自動洗浄装置２０の駆動部２２の第１シリンダ室２６ａに配管１０ａから上水道水が供給されて水圧が加わったとすると、第１シリンダ室２６ａ及び第２シリンダ室２６ｂは外部配管の絞り３０を介して同じ給水圧が加わるが、ピストン２８の受圧面積の相違により、ピストン２８を開方向に押す力（Ｐ１−Ｐ２）が発生し、この力は第１バネ４２の弁閉方向の力Ｆ１を上回ることで、ピストン２８は第１バネ４２に抗して開方向にストロークを開始する。
【００３１】
このピストン２８のストロークの速度は、第２シリンダ室２６ｂの上水道水を第１シリンダ室２６ａに流す絞り３０の開度により決まり、絞り３０を適切に調整することで、ピストン２８は非常にゆっくりした速度で弁開方向にストロークする。
【００３２】
ピストン２８が第１バネ４２を圧縮して弁開方向にストロークし、所定ストロークに達すると、排水部２４に設けている弁部材３６の当接部３６ｂにピストンロッド３４の先端が当接する。
【００３３】
このピストンロッド３４の先端が弁部材３６の当接部３６ｂに当接したときの力関係は、貯水室３８に配管１０ｂにより加わっている給水圧により弁体３６ａを開方向に押す力をＰ３、第２バネ４４の弁体３６ａを閉方向に押す力をＦ２とすると、
Ｐ１＋Ｐ３＞Ｐ２＋Ｆ１＋Ｆ２
となる関係が成立している。
【００３４】
このためピストン２８は、ピストンロッド３４を弁部材３６に当接した状態で、第２バネ４４に抗して更に開方向にストロークし、排水口４０を閉鎖している弁体３６ａを開き、貯水室３８に溜めている上水道水を、開放した排水口４０から配水管２５を介して外部に排出する。
【００３５】
図２は図１に設けた自動洗浄装置２０の排水動作時の状態を示した説明図である。図２の排水動作時の状態にあっては、ピストン２８のストロークにより弁部材３６が開方向に押されて、弁体３６ａを排水口４０から離して開くことで、貯水室３８の上水道水を外部に排水している。
【００３６】
このような排水動作が行われると、一時的に配管１０ａ，１０ｂの水圧が低下する。このため、駆動部２２のピストン２８に作用している両側の重圧面積に応じた力Ｐ１，Ｐ２も低下し、ピストン２８は第１バネ４２の力Ｆ１により弁閉方向に押し戻され、このとき第１シリンダ室２６ａの水圧の増加で逆止弁３２が開き、第１シリンダ室２６ａから第２シリンダ室２６ｂに逆止弁３２を介して水を流すことで、ピストン２８は短時間に弁閉方向にストロークして初期位置に戻る。
【００３７】
同時に、排水部２４の弁部材３６が第２バネ４４の力Ｆ２により押されて弁体３６ａが排水口４０を閉鎖する位置に戻り、貯水部３８からの排水動作が停止される。以後、同様に、所定の時間間隔で排水動作が繰り返される。
【００３８】
なお、配管１０に接続しているスプリンクラーヘッドが作動した際には、駆動部２２内に入る水の給水圧力の低下で、圧力Ｐ１＋Ｐ３が低下し、Ｐ２＋Ｆ１＋Ｆ２の力により低くなることから、排水口４０が開放することがなく、自動洗浄装置２０の動作を停止することで、自動洗浄装置２０の排水動作によるスプリンクラーヘッドの給水圧の低下を防ぐようにしている。
【００３９】
図３は本発明で使用する自動洗浄装置の他の実施形態を示した説明図である。図３において、この実施形態の自動洗浄装置２０は、所定の排水量例えば数百ミリリットルに対応した容量を持つ排水タンク４６を有し、排水タンク４６の底部に回動軸５０により開閉自在に底蓋４８を設けており、底蓋４８の回動軸５０を介した反対側には重り５２が取り付けられている。
【００４０】
また排水タンク４６に対するスプリンクラーヘッド接続部分からの配管１０には、排水タンク４６に流し込む上水道水の量を調整する絞り５４が設けられている。また配管１０には遮断装置５６が設けられる。
【００４１】
遮断装置５６は、配管１０に接続しているスプリンクラーヘッドが作動した際の給水圧力の低下で、排水タンク４６に対する上水道水の供給を遮断し、自動洗浄装置２０の動作を停止することで、自動洗浄装置２０の排水動作によるスプリンクラーヘッドの給水圧の低下を防ぐようにしている。
【００４２】
底蓋４８の反対側に回動軸５０を介して配置した重り５２は、排水タンク４６による１回の排水量に対応した水の重さをＷ１とすると、この排水量に対応した水の重さＷ１と同じ重さＷ２を持っている。
【００４３】
このため、排水タンク４６に対する上水道水の貯水量が１回の排水量に対応した重さＷ１を超えると、Ｗ１＝Ｗ２の関係にある重り５２の重さＷ２に対し、更に排水タンク４６の貯水量が増加して重量バランスが崩れ、底蓋４８が貯水タンク４６に貯留した水の重みにより４８ａに示すように下側に回動して開き、これによって排水タンク４６に貯水した上水道水を排出することができる。
【００４４】
貯水タンク４６に対する上水道水の貯水時間は、絞り５４を調整することで、例えば１日５回、底蓋４８が貯水量の重量を受けて重量バランスの崩れにより開くように、十分にゆっくりした時間で貯水するように調整されている。
【００４５】
図４は図３に設けた遮断装置５６の実施形態を示した断面図である。図４において、遮断装置５６は円筒状の本体５８を有し、本体５８の一方に外周にネジ部６０ａを備えた流入口６０を形成し、反対側にネジ穴部６２ａを備えた流出口６２を形成し、その間を流路６４により連通し、流路６４の流出側に弁座６６を形成している。
【００４６】
弁座６６に対しては、ホルダー７２により軸方向に摺動自在に支持されたスプール弁６８が配置され、スプール弁６８の弁体部とホルダー７２との間にはコイルバネ７０が組み込まれ、スプール弁６８を閉方向に押圧している。
【００４７】
遮断装置５６は、スプリンクラーヘッドに必要な上水道水の水圧が一般的に０．０５ＭＰａであることから、それより低い例えば０．０３ＭＰａに低下したときに、コイルバネ７０の力でスプール弁６８を弁座６６に当接して流路６４を遮断するようにしている。
【００４８】
このような遮断装置５６を図３に示すように自動洗浄装置２０の排水タンク４６に対する配管１０に設けておくことで、例えば図１に示したように、配管１０に設けているスプリンクラーヘッド１８が作動して給水圧力が０．０３ＭＰａ以下に低下すると、スプール弁６８が流路６４を閉鎖して排水タンク４６に対する給水を遮断し、スプリンクラーヘッドの作動中に自動洗浄装置２０の排水動作が行われてスプリンクラーヘッドに対する給水圧力が低下することを防止する。
【００４９】
図５は本発明で使用する自動洗浄装置の他の実施形態を示した説明図である。図５において、この実施形態の自動洗浄装置２０は、排水タンク７６の内部に逆Ｕ字状のサイホン管７８を配置している。
【００５０】
サイホン管７８は、逆Ｕ字型に屈曲した先端部７８ａを排水タンク７６の底部側に位置させ、上端の折曲げ部７８ｂを介して排水口７８Ｃをタンク底部に取り出している。排水タンク７６に対しては上水道水の配管１０が接続され、この配管１０には、図３の実施形態と同様、絞り５４と遮断装置５６が設けられている。
【００５１】
自動洗浄装置２０の排水タンク７６に対しては、絞り５４で調整された水量の上水道水が供給されており、数時間程度をかけて排水タンク７０の水位８０が底部からサイホン管７８の最頂部となる折曲げ部７８ｂ付近に上昇してくる。水位がサイホン管７８の折曲げ部７８ｂとなる頂部を超えた水位８０ａ付近に上昇してくると、サイホン作用により排水タンク７６の水がサイホン管７８を通って一気に排水口７８ｃから排出される。
【００５２】
また、配管１０に接続しているスプリンクラーが作動して水圧が０．０３ＭＰａに低下すると、図４に示した遮断装置５６の構造により、排水タンク７６に対する給水が遮断され、スプリンクラー作動中における自動洗浄装置２０の排水動作を禁止することができる。
【００５３】
図６は本発明で使用する自動洗浄装置の他の実施形態を示した説明図である。図６において、この実施形態の自動洗浄装置２０は、制御盤８２と制御弁８４で構成される。制御弁８４はスプリンクラーヘッドを接続している部分の配管１０に設けられ、制御盤８２からの電気信号により開閉制御を行う。
【００５４】
制御盤８２にはタイマ８６と駆動部８８が設けられ、更に駆動部８８に対しては火災感知器９０からの火災検出信号が入力している。タイマ８６は、予め定めた設定時間例えば数時間に１回、タイマ出力を駆動部８８に出力する。タイマ８６からのタイマ出力を受けた駆動部８８は、制御弁８４を所定時間、開制御し、配管１０から排水管２５に所定量の上水道水を流して排水する。
【００５５】
一方、火災感知器９０から火災検出信号が駆動部８８に与えられると、駆動部８８はタイマ８６からのタイマ出力を受けても制御弁８４を駆動せず、制御弁８４の駆動による排水動作を禁止する。これによって、火災感知器９０が作動した状態、即ちスプリンクラーヘッドが作動する可能性のある状態となる火災時にあっては、自動洗浄装置２０による排水動作を禁止するようにしている。
【００５６】
なお本発明は、その目的と利点を損なうことのない適宜の変形を含み、更に上記の実施形態に示した数値による限定は受けない。
【符号の説明】
【００５７】
１０：配管
１８：スプリンクラーヘッド
２０：自動洗浄装置
２２：駆動部
２４：排水部
２６：シリンダ
２６ａ：第１シリンダ室
２６ｂ：第２シリンダ室
２８：ピストン
３０：絞り
３２：逆止弁
３４：ピストンロッド
３６：弁部材
３６ａ：弁体
３６ｂ：当接部
３８：貯水室
４０：排水口
４２：第１バネ
４４：第２バネ
４６，７６：排水タンク
４８：底蓋
５０：回動軸
５２：重り
５６：遮断装置
７８：サイホン管
８２：制御盤
８４：制御弁
８６：タイマ
８８：駆動部
９０：火災感知器
【図１】
2010207502.tif 000003
【図２】
2010207502.tif 000004
【図３】
2010207502.tif 000005
【図４】
2010207502.tif 000006
【図５】
2010207502.tif 000007
【図６】
2010207502.tif 000008